(57)【要約】【課題】作業員が空気調和機のメンテナンス作業を速やかに、かつ、間違いなく行うこと。【解決手段】コネクタまたはスイッチのうち少なくとも１つを含む基板部品が実装された基板２２に対応付けて設けられ、基板２２上の回路を模式化する配線表示具２１であって、基板２２上の基板部品が実装されている面の前方に配置され、基板部品の実装位置に対応する位置に、基板部品が配置されていることを図示する表示部を備える。表示部は、透明または半透明の素材を用い、基板２２の大きさと同等、または、基板２２の大きさを所定量縮小・拡大した大きさとし、難燃材を用いる。【選択図】図２
2018029117.tif 000002
【特許請求の範囲】
【請求項１】
コネクタまたはスイッチのうち少なくとも１つを含む基板部品が実装された基板に対応付けて設けられ、前記基板上の回路を模式化する配線表示具であって、
前記基板上の前記基板部品が実装されている面の前方に配置され、前記基板部品の実装位置に対応する位置に、前記基板部品が配置されていることを図示する表示部
を備える配線表示具。
【請求項２】
前記表示部は、透明または半透明の素材を用いる請求項１に記載の配線表示具。
【請求項３】
前記表示部は、前記基板の大きさと同等、または、前記基板の大きさを所定量拡大、または所定量縮小した大きさとする請求項１または請求項２に記載の配線表示具。
【請求項４】
難燃材である請求項１から請求項３のいずれかに記載の配線表示具。
【請求項５】
コネクタまたはスイッチのうち少なくとも１つを含む基板部品が実装され、
前記基板部品の実装位置に対応する位置に前記基板部品が配置されていることを図示し、当該基板上の回路を模式化する配線表示具が、前記基板部品が実装されている面の前方に当該基板に対応付けて設けられる基板。
【請求項６】
請求項１から請求項４のいずれかに記載の配線表示具と、
請求項５に記載の基板と、
基板部品が実装される面が開放可能な筐体と、を備え、
前記筐体は、開放可能な前記面と接する少なくとも１つの面にツメ部を備え、
前記配線表示具は、前記ツメ部に対応する位置に穴部を備え、
対応する前記穴部に前記ツメ部を通し、前記基板と前記配線表示具とを層状に配置させる配線表示システム。
【請求項７】
請求項１から請求項４のいずれかに記載の配線表示具を備えた空気調和機。
【発明の詳細な説明】
【技術分野】
【０００１】
本発明は、配線表示具及びそれを備えた空気調和機、基板並びに配線表示システムに関するものである。
【背景技術】
【０００２】
例えば、空気調和機に設けられる基板とモータ・センサー等の配線の結線状態を表示する結線銘板は、室内機のコントロールボックスの蓋部や、室内機のサービスパネルの裏等に貼り付けられている。
下記特許文献１は、プリント基板の半田面を覆うように、袋口を有する袋を形成する２重構造の絶縁紙をプリント基板の半田面に取り付け、袋の袋口から取扱説明書等の必要書類が入れられ、保管できるようにする受信機盤が開示されている。
【先行技術文献】
【特許文献】
【０００３】
【特許文献１】実開昭５７−６３０８号公報
【発明の概要】
【発明が解決しようとする課題】
【０００４】
ところで、結線銘板は、室内機内や室外機内の基板上の回路を模式化、簡略化して表示するものであるため正確なコネクタ位置が示されるものではない。空気調和機の修理や点検を行う作業員は、こうした結線銘板と実際の回路を見合わせることによって、作業をするコネクタの位置を探し当てていたので、該当するコネクタ等の部品の正確な位置を探すのに時間がかかり、作業員の作業が円滑に行うことが困難な場合があった。
【０００５】
本発明は、このような事情に鑑みてなされたものであって、作業員が作業を速やかに、かつ、間違いなく行うことができる配線表示具及びそれを備えた空気調和機、基板並びに配線表示システムを提供することを目的とする。
【課題を解決するための手段】
【０００６】
上記課題を解決するために、本発明は以下の手段を採用する。
本発明は、コネクタまたはスイッチのうち少なくとも１つを含む基板部品が実装された基板に対応付けて設けられ、前記基板上の回路を模式化する配線表示具であって、前記基板上の前記基板部品が実装されている面の前方に配置され、前記基板部品の実装位置に対応する位置に、前記基板部品が配置されていることを図示する表示部を備える配線表示具を提供する。
【０００７】
本発明によれば、コネクタまたはスイッチのうち少なくとも１つを含む基板部品を実装している面の前方に、基板上の回路を模式化する配線表示具が配置されるので、基板に対して配線表示具が重ねられた状態となる。基板に重ねられた配線表示具は、基板上の実装位置に対応する位置に基板部品が配置されていることを図示するので、基板上に設けられる基板部品の位置を投影したかのように表示される。
これにより、基板上のコネクタやスイッチ等の基板部品を調査する作業員は、配線表示具を目視することにより、背面の基板上の基板部品の配置位置を速やかに把握できるので、基板上の所望のコネクタやスイッチ等の基板部品の特定を速やかに行うことができ、作業を円滑に行うことができる。
【０００８】
上記配線表示具の前記表示部は、透明または半透明の素材を用いてもよい。
【０００９】
表示部に透明または半透明の素材を用いることにより、背面の基板上の基板部品が配線表示具を介して透き通って見えるので、作業員は作業対象とするコネクタやスイッチ等の基板部品を速やかに特定できる。
【００１０】
上記配線表示具の前記表示部は、は、前記基板の大きさと同等、または、前記基板の大きさを所定量拡大、または所定量縮小した大きさとしてもよい。
【００１１】
基板の大きさと同等、または所定量拡大、または所定量縮小した大きさで図示することにより、基板上の基板部品の実装位置を可及的に正確に表現し、作業員の基板部品の速やかな把握と、誤認を防ぐ。
【００１２】
上記配線表示具は、難燃材であってもよい。
【００１３】
難燃材が用いられることにより、燃焼の広がりを抑えることができる。
【００１４】
本発明は、コネクタまたはスイッチのうち少なくとも１つを含む基板部品が実装され、前記基板部品の実装位置に対応する位置に前記基板部品が配置されていることを図示し、当該基板上の回路を模式化する配線表示具が、前記基板部品が実装されている面の前方に当該基板に対応付けて設けられる基板を提供する。
【００１５】
本発明は、上記いずれかの配線表示具と、基板と、基板部品が実装される面が開放可能な筐体と、を備え、前記筐体は、開放可能な前記面と接する少なくとも１つの面にツメ部を備え、前記配線表示具は、前記ツメ部に対応する位置に穴部を備え、対応する前記穴部に前記ツメ部を通し、前記基板と前記配線表示具とを層状に配置させる配線表示システムを提供する。
【００１６】
このように、筐体に配線表示具を取り付けることにより、基板と配線表示具とを簡便に重ねることができる。また、ツメ部と穴部によって筐体に配線表示具を取り付けるので、特殊な工具などが不要であり、脱着も容易となる。
鉛直方向に平行な面に基板が取り付けられ、開放可能な面と接する少なくとも１つの面が水平面であり且つ鉛直上方の面である場合には、配線表示具を基板の前面にのれん様に配置させることができ、これにより、作業員のメンテナンスがしやすくなる。
【００１７】
本発明は、上記いずれかの配線表示具を備えた空気調和機を提供する。
【００１８】
空気調和機（室内機および／または室外機）に配線表示具を設けることにより、作業員が空気調和機のメンテナンス等の作業を円滑に行うことができる。
室外機に配線表示具が設けられていれば、仮に雨天時に室外機の基板のメンテナンスが必要である場合であっても、配線表示具によってメンテナンスする基板部品の特定を速やかに行えるとともに、配線表示具が雨除けとなることで、基板の水濡れを可及的に防ぐ。
【発明の効果】
【００１９】
本発明は、作業員が作業を速やかに、かつ、間違いなく行うことができるという効果を奏する。
【図面の簡単な説明】
【００２０】
【図１】本発明に係る空気調和機を示す斜視図である。
【図２】本発明に係る配線表示システムの概略構成を示している。
【図３】本発明に係るコントロールボックス近傍の構成を示している。
【図４】本発明に係る配線表示具を示している。
【図５】基板の一例を示している。
【図６】図５の基板に対応付けられる配線表示具の表示部の一例を示している。
【発明を実施するための形態】
【００２１】
以下に、本発明にかかる配線表示具及びそれを備えた空気調和機、基板並びに配線表示システムの実施形態について、図面を参照して説明する。
【００２２】
図１に示されるように、室内機（図示は、天井埋込み型空気調和機（以下「空気調和機」という）を示す）２は、室外機３を備えている。
室内機２は、室内の天井に吊下げ設置されている。室内機２は、キャビネット５と天井パネル６とを備えている。キャビネット５は、箱状に形成され、下方部に開口部が形成されている。天井パネル６は、略四角形の板状に形成され、キャビネット５の下方部位に取り付けられている。天井パネル６には、空気吸込み口７と空気吹出し口８とが形成されている。空気吸込み口７は、天井パネル６の中央部に設けられている。空気吹出し口８は、長方形状に形成され、天井パネル６の四辺に沿って配置されている。室内機２は、さらに、制御装置１０を備えている。制御装置１０は、キャビネット５の内部に配置されている。
【００２３】
室外機３は、屋外に設置されている。室外機３は、電気配線１１を介して室内機２に接続され、室内機２に電源供給及び信号通信をしている。室外機３は、さらに、２つの冷媒配管１２を介して室内機２に接続されている。２つの冷媒配管１２は、室内機２と室外機３とに冷媒を循環させる。室外機３は、室内機２側に設けられる室内熱交換器（図示略）と共に冷凍サイクルを構成し、外気と冷媒とを熱交換することにより冷媒を温度調節し、温度調節された冷媒を室内機２に供給する。また、室外機３は、配線表示システム５０を備えている。配線表示システム５０は、コントロールボックス２０に備えられている。
【００２４】
図２は、配線表示システム５０の縦断面図を示している。
配線表示システム５０は、基板２２と、コントロールボックス（筐体）２０と、配線表示具２１と、ツメ部２３とを備えている。
基板２２は、空気調和機の制御に用いられ、コネクタまたはスイッチのうち少なくとも１つを含む基板部品（後述する）が実装される。また、基板２２は、基板部品及び結線が実装されている面の前方に、配線表示具２１（詳細は後述する）が設けられている。
【００２５】
例えば、図２に示されるように、コントロールボックス２０の鉛直方向に平行な面に基板２２が取り付けられ、開放可能な面と接する少なくとも１つの面が、水平面であり且つ鉛直上方側の面である場合には、配線表示具２１を基板２２の前面にのれん様に配置させることができる。これにより、作業員は、のれん様の配線表示具２１の開放（下方）側からめくり上げることにより、メンテナンスしやすくなる。
また、本実施形態においては、コントロールボックス２０の向きを縦置き（つまり、基板２２を鉛直方向に立てる状態）になるように配置する場合を例示するが、本発明はこれに限定されない。
【００２６】
図３に示されるように、コントロールボックス２０は、基板２２を格納し、基板２２の対面であり、かつ、基板部品が実装される面が開放可能な筐体とする。
ツメ部２３は、コントロールボックス２０において、解放可能な面と接する少なくとも１つの面に備えられ、コントロールボックス２０内の基板２２と配線表示具２１とを対応付けるときに用いられる。本実施形態においては、ツメ部は３個として説明するが、ツメ部の個数は特に限定されない。
【００２７】
配線表示具２１は、シート状であり、基板部品が実装された基板２２に対応付けて設けられ、基板上の回路を模式化した結線図が印刷されている。
図４に示されるように、配線表示具２１は、表示部２６と、穴部２９とが設けられる。
表示部２６は、基板２２上の基板部品及び結線が実装されている面の前方に配置され、基板部品の実装位置に対応する位置に、基板部品が配置されていることを図示する。
穴部２９は、コントロールボックス２０内の基板２２と表示部２６とを対応付けるように、ツメ部２３に対応して設けられる。
配線表示具２１の穴部２９に、対応するコントロールボックス２０のツメ部２３を通し、基板２２と配線表示具２１とを層状に配置させる。
このように、対応するツメ部２３と穴部２９によってコントロールボックス２０に配線表示具２１を取り付けるので、特殊な工具等が不要で、配線表示具２１の着脱が容易となる。
【００２８】
図２に示されるように、基板２２と配線表示具２１とは所定間隔空けて配置される場合を例示しているが、この間隔の大きさは特に限定されない。
例えば、降雨時や降雪時において、室外機３のコントロールボックス２０内部の部品が作業員によってメンテナンスされる場合を想定すると、配線表示具２１よりも所定間隔空けた奥側に基板２２が配置されることによって、基板２２の水濡れをより防ぐことができる。
【００２９】
また、配線表示具２１は、難燃材が用いられることが好ましい。難燃材が用いられることにより、火災が生じた場合の延焼を防ぐことができる。本実施形態においては、配線表示具２１は、ビニール素材で作られたものとして説明する。
配線表示具２１は、透明または半透明の素材を用いることが好ましい。配線表示具２１に透明または半透明の素材を用いることにより、背面の基板２２上の基板部品が配線表示具２１を介して透き通って見えるので、作業員は作業対象とするコネクタやスイッチ等の基板部品を速やかに特定できる。
【００３０】
また、配線表示具２１または表示部２６は、基板２２の大きさと同等、または、基板２２の大きさを所定量拡大・縮小した大きさとしてもよい。
基板の大きさと同等または所定量拡大・所定量縮小した大きさで図示することにより、基板上の基板部品の実装位置が可及的に正確に表現され、作業員の基板部品の速やかな把握と、誤認を防ぐ。
所定量拡大・縮小した大きさとは、作業員の作業対象となるコネクタやスイッチ等の基板部品の基板２２上の実際の位置が特定できる程度の大きさである。
【００３１】
以下に、より具体的に配線表示具２１について説明する。
図５は、コントロールボックス２０内に設けられる基板２２の一例を図示している。
図５には、基板２２にコネクタ名称ＣＮ１、ＣＮＮ，ＣＮＦ，ＣＮＣ，ＣＮＬ，ＣＮＴ，ＣＮＴＡ，ＣＮＨ，ＣＮＶ，ＣＮＶ２，ＣＮＲ，ＣＮＱ，ＣＮＷ３，ＣＮＭ１，ＣＮＷＯ，ＣＮＪ，ＣＮＪ２，ＣＮＧ，ＣＮＢ，ＣＮＰと、スイッチＳＷ１，ＳＷ５，ＳＷ７，ＳＷ８とが基板部品として実装されている様子が描かれている。
【００３２】
図６は、基板形状と、図５に示される基板２２上のスイッチまたはコネクタ等の基板部品とが印刷（図示）された配線表示具２１の表示部２６の一例を示している。
本実施形態では、図５で示される基板２２の大きさと略同じ大きさの配線表示具２１を例として図示しているが、所定量縮小した大きさであってもよい。
図６では、図５で図示していた基板２２上の基板部品であるコネクタＣＮ１、ＣＮＮ，ＣＮＦ，ＣＮＣ，ＣＮＬ，ＣＮＴ，ＣＮＴＡ，ＣＮＨ，ＣＮＶ，ＣＮＶ２，ＣＮＲ，ＣＮＱ，ＣＮＷ３，ＣＮＭ１，ＣＮＷＯ，ＣＮＪ，ＣＮＪ２，ＣＮＧ，ＣＮＢ，ＣＮＰと、スイッチＳＷ１，ＳＷ５，ＳＷ７，ＳＷ８とが図示されている。
【００３３】
このように、図２に示されるようなコントロールボックス２０における基板２２（例えば、図５）の前面に、基板２２と略同じ大きさの配線表示具２１（例えば、図６）を層状に配置させる。
これにより、空気調和機のメンテナンスをする作業員は、配線表示具２１の表示部２６を目視し、背後に設けられる基板２２上の基板部品の位置を確認した上で配線表示具２１をめくり、簡便に所望の基板部品を探すことができる。また、配線表示具２１がシート状のビニール製の取り扱いしやすい素材で作成されていることにより、作業員は、配線表示具２１を基板２２に被せ、基板部品の位置を再度確認した上で配線表示具２１をめくり作業を進めるといったように、繰り返し基板部品の位置を配線表示具２１上で確認しながら作業を行うことができる。
【００３４】
以上説明してきたように、本実施形態に係る配線表示具２１及びそれを備えた空気調和機、基板２２並びに配線表示システム５０によれば、コネクタまたはスイッチのうち少なくとも１つを含む基板部品を実装している基板２２上の基板部品及び結線が実装されている面の前方に、基板２２上の回路を模式化する配線表示具２１が配置されるので、基板２２に対して配線表示具２１が重ね合された状態となる。基板２２に重ね合された配線表示具２１の表示部２６は、基板部品や結線の実装位置に対応する位置に基板部品が配置されていることを図示するので、基板２２上に設けられる基板部品の位置を投影したかのように提示される。
【００３５】
これにより、各基板部品や結線の位置の認識性が向上する。基板２２上のコネクタやスイッチ等の基板部品を調査する作業員は、配線表示具２１を目視することにより、背面の基板２２上の基板部品の配置位置を速やかに把握できるので、基板２２上の所望のコネクタやスイッチ等の基板部品の特定を速やかに行うことができる。また、部品の間違いを可及的になくし、作業員は作業を円滑に行うことができる。
なお、上記実施形態においては、基板部品としてコネクタおよびスイッチを配線表示具２１に図示することとして説明していたが、これに限定されず、例えば、ＬＥＤ（ｌｉｇｈｔ  ｅｍｉｔｔｉｎｇ  ｄｉｏｄｅ：発光ダイオード）等他の部品を図示してもよい。
【００３６】
また、空気調和機のメンテンナンスは、基板部品が設けられている基板２２の前面に配線表示具２１が設けられていることにより、基板２２側への雨水の進入を防ぐことができる。
【００３７】
〔変形例〕
また、上記本実施形態においては、配線表示具２１は、上記実施形態に限定されず、例えば、室外機３において、基板を保護する目的で設けられている雨避けのビニール素材で形成されるサービスカバーを流用し、該サービスカバーに背面の基板の基板部品の配置位置を印刷して図示する表示部を設けるようにしてもよい。
このように、サービスカバーを配線表示具と兼用することにより、別途配線表示具２１を設ける必要が無く、コスト低減に繋がる。
【００３８】
以上、本発明の実施形態について図面を参照して詳述してきたが、具体的な構成はこの実施形態に限られるものではなく、本発明の要旨を逸脱しない範囲の設計変更なども含まれる。
例えば、上記実施形態においては、室外機３に設けられるコントロールボックス２０内の基板２２と、該基板２２に対応付けて配線表示具２１が設けられることとして説明していたが、本発明はこれに限定されない。例えば、室内機２に設けられる制御装置１０内の基板と、制御装置１０内の基板に対応付けて配線表示具２１が設けられることとしてもよい。
【符号の説明】
【００３９】
２  室内機
３  室外機
１０  制御装置
２０  コントロールボックス
２１  配線表示具
２２  基板
２３  ツメ部
２６  表示部
２９  穴部
５０  配線表示システム
【図１】
2018029117.tif 000003
【図２】
2018029117.tif 000004
【図３】
2018029117.tif 000005
【図４】
2018029117.tif 000006
【図５】
2018029117.tif 000007
【図６】
2018029117.tif 000008